(57)【要約】【課題】意図しない印刷設定が原因で再印刷をする場合に便利なプリンタ装置を提供する。【解決手段】プリンタ装置は、パソコンから送られた印刷ジョブを受け付けて、印刷ジョブを実行する印刷ジョブ実行部と、印刷ジョブ実行部で印刷ジョブが実行されて排紙が開始されることにより操作可能となり、印刷設定の操作及びその印刷設定に基づいて印刷ジョブ実行部に対して印刷ジョブの実行のしなおしを命令する操作に用いられる再印刷操作部と、を備える。【選択図】図１１
2009255328.tif 000002
【特許請求の範囲】
【請求項１】
パソコンから送られた印刷ジョブを受け付けて、前記印刷ジョブを実行する印刷ジョブ実行部と、
前記印刷ジョブ実行部で前記印刷ジョブが実行されて排紙が開始されることにより操作可能となり、印刷設定の操作及び前記印刷設定に基づいて前記印刷ジョブ実行部に対して前記印刷ジョブの実行のしなおしを命令する操作に用いられる再印刷操作部と、を備えたプリンタ装置。
【請求項２】
前記印刷ジョブ実行部は、
前記印刷ジョブの実行において、複数ページ分の画像データの蓄積が可能な画像メモリと、
画像データを最初のページから順に前記画像メモリに蓄積していく制御をし、かつ前記画像メモリに蓄積された前記最初のページを含む複数ページ分の画像データが消去されれば前記印刷ジョブに対する前記再印刷操作部の操作の受け付けを禁止する制御をする制御部と、を含む請求項１に記載のプリンタ装置。
【請求項３】
前記印刷ジョブ実行部で前記印刷ジョブが実行されて排紙が開始されることにより、前記印刷ジョブについて再印刷が可能なことを報知し、かつ前記制御部で前記印刷ジョブに対する前記再印刷操作部の操作の受け付けを禁止する制御がされることにより、前記報知を終了する報知部を備えた請求項２に記載のプリンタ装置。
【請求項４】
前記印刷ジョブが終了してから所定時間が経過するまで、前記印刷ジョブに対する前記再印刷操作部の操作が受け付けられる、請求項１〜３のいずれか一項に記載のプリンタ装置。
【発明の詳細な説明】
【技術分野】
【０００１】
本発明は、パソコンから送られた印刷ジョブを実行するプリンタ装置に関する。
【背景技術】
【０００２】
パソコンをプリンタに接続することで、パソコンに記憶されているファイルを印刷することができる。これについて簡単に説明する。パソコンの画面上で印刷を選択してプリンタドライバを立ち上げ、パソコンに表示された印刷画面上で印刷設定をし、印刷ＯＫのボタンをクリックする。これにより、ファイルの印刷ジョブがプリンタに送られてプリンタで印刷ジョブが実行され、ファイルが用紙に記録されて排紙される。
【０００３】
ユーザは、プリンタから排紙された用紙を見て、意図した印刷設定でないことが分かれば（例えば両面印刷を意図していたが片面印刷されている）、印刷をしなおす（再印刷）ことがある。この場合、ユーザはパソコンのところに戻り、上述した一連の操作を再び行う必要がある。
【０００４】
印刷装置で印刷ジョブ実行中に印刷部数を変更する操作を、その印刷装置で行える技術が提案されている（例えば特許文献１参照）。
【０００５】
【特許文献１】特開２００７−８０８０号公報（段落００２８〜段落００３０、第５図）
【発明の開示】
【発明が解決しようとする課題】
【０００６】
本発明の目的は、意図しない印刷設定が原因で再印刷をする場合に便利なプリンタ装置を提供することである。
【課題を解決するための手段】
【０００７】
本発明に係るプリンタ装置は、パソコンから送られた印刷ジョブを受け付けて、前記印刷ジョブを実行する印刷ジョブ実行部と、前記印刷ジョブ実行部で前記印刷ジョブが実行されて排紙が開始されることにより操作可能となり、印刷設定の操作及び前記印刷設定に基づいて前記印刷ジョブ実行部に対して前記印刷ジョブの実行のしなおしを命令する操作に用いられる再印刷操作部と、を備える。
【０００８】
本発明に係るプリンタ装置において、前記印刷ジョブ実行部は、前記印刷ジョブの実行において、複数ページ分の画像データの蓄積が可能な画像メモリと、画像データを最初のページから順に前記画像メモリに蓄積していく制御をし、かつ前記画像メモリに蓄積された前記最初のページを含む複数ページ分の画像データが消去されれば前記印刷ジョブに対する前記再印刷操作部の操作の受け付けを禁止する制御をする制御部と、を含むようにすることができる。
【０００９】
これによれば、画像データを最初のページから順に画像メモリに蓄積していく制御をするので、最初のページを含む複数ページ分の画像データを再印刷に利用することができる。この蓄積された画像データが消去されれば、最初のページを含む複数ページ分の画像データが失われる。よって、その印刷ジョブについては再印刷に必要なデータがプリンタ装置に揃わず、再印刷することができないので、その印刷ジョブに対する再印刷操作部の操作の受け付けを禁止している。
【００１０】
本発明に係るプリンタ装置は、前記印刷ジョブ実行部で前記印刷ジョブが実行されて排紙が開始されることにより、前記印刷ジョブについて再印刷が可能なことを報知し、かつ前記制御部で前記印刷ジョブに対する前記再印刷操作部の操作の受け付けを禁止する制御がされることにより、前記報知を終了する報知部を、さらに備えるようにすることができる。
【００１１】
これによれば、その印刷ジョブについて再印刷が可能な期間中に再印刷ができることを報知することができる。
【００１２】
本発明に係るプリンタ装置において、前記印刷ジョブが終了してから所定時間が経過するまで、前記印刷ジョブに対する前記再印刷操作部の操作が受け付けられる、ようにすることができる。
【００１３】
これによれば、印刷ジョブ終了後でも再印刷ができるので、印刷するページ数が少ない印刷ジョブについて有効となる。
【発明の効果】
【００１４】
本発明によれば、ユーザは、パソコンから送られた印刷ジョブが実行されて排紙された用紙を見て、意図しない印刷設定であることが分かれば、プリンタ装置の再印刷操作部を操作することで、その印刷ジョブについて再印刷（印刷のしなおし）をすることができる。したがって、意図しない印刷設定で印刷ジョブが実行されても、その印刷ジョブを送ったパソコンのところまで戻り、パソコンを操作して再印刷をする必要がなくなる。よって、本発明に係るプリンタ装置によれば、意図しない印刷設定が原因で再印刷をする場合に便利である。
【発明を実施するための最良の形態】
【００１５】
本発明の実施形態について図面を用いて説明する。図１は、本実施形態に係るプリンタ装置としての機能を有する複合機１の構成を示すブロック図である。複合機１は、プリンタ装置としての機能の他に、コピー装置、ファクシミリ装置及びスキャナ装置としての機能を有する。
【００１６】
複合機１は、ＭＰＵ(Micro Processing Unit)３、画像読取部５、画像記録部７、表示部９、操作部１１、モデム１３、ＮＣＵ(Network Control Unit)１５、ＲＯＭ(Read Only Memory)１９、ＲＡＭ(Random Access Memory)２１、画像メモリ２３、ハードディスク２５、コーデック２７、ＬＡＮ(Local Area Network)インターフェース２９等が相互にバス３３で接続された構成を有する。ＭＰＵ３は、複合機１を構成する上記ハードウェアを制御すると共に複合機１の動作に必要なソフトウェアを実行する。
【００１７】
画像読取部５は、ＣＣＤ(Charge Coupled Device)等によって画像（文字、図、写真等）を読み取って画像データとして出力する。画像記録部７は、感光ドラム、帯電器、露光器、現像器及び定着器等により構成され、電子写真方式によって印刷（画像を用紙に記録して排紙）をする。
【００１８】
表示部９は、複合機１の動作状態、各種設定内容等を表示する。表示部９は、ＬＣＤ(Liquid Crystal Display)、ＣＲＴ(Cathode Ray Tube)等で実現される。操作部１１は、複合機１の操作に必要なキー（テンキー、スタートキー、リセットキー、各種のファンクションキー等）を備える。
【００１９】
モデム１３は、通常のファクシミリ通信用のファクシミリモデムの機能を有する。また、モデム１３は、ＮＣＵ１５と直接に接続されている。ＮＣＵ１５は、公衆交換電話網（ＰＳＴＮ）１７に接続される電話回線と複合機１との接続を制御する機能の他に、通信相手の電話番号に応じたダイヤルパルスを送出する機能及び着信を検出する機能を有する。
【００２０】
ＲＯＭ１９は、フラッシュメモリ等により実現されており、複合機１の動作に必要なソフトウェアを記憶している。ＲＡＭ２１は、ＳＲＡＭ(Static Random Access Memory)、ＤＲＡＭ(Dynamic Random Access Memory)等により実現されている。ＲＡＭ２１は、ソフトウェアの実行時に発生するデータの一時的な記憶及びアプリケーションソフトの記憶等に利用される。
【００２１】
画像メモリ２３は、ＤＲＡＭ等で実現されており、送信すべき画像データ、受信した画像データ及び画像読取部５から出力された画像データ等を一時的に記憶する。ハードディスク２５は、ファクシミリ通信の対象となる画像データ等を記憶する。複合機１ではファクシミリの通信管理記録に通信対象となる画像を含めている。この画像を形成するのにハードディスク２５に記憶されている上記画像データを利用する。
【００２２】
コーデック２７は、画像データを符号化圧縮すると共に符号化圧縮されている画像データを復号する。ＬＡＮインターフェース２９は、複合機１がＬＡＮ３１と通信可能に接続するインターフェースである。ＬＡＮ３１は、複数のパソコン３５と接続されていると共にルータ３７を経由してインターネット３９と接続されている。
【００２３】
図２は、複合機１に備えられる操作パネル４１の平面図である。操作パネル４１は、タッチパネル４３及び各種のキー（モード選択キー４５、テンキー４７、スタートキー４９、クリアキー５１、割込みキー５３、リセットキー５５等）を備える。操作パネル４１は、図１の表示部９及び操作部１１として機能する
【００２４】
各キーは、通常の複合機に備えられるそれらの名称のキーと同様の目的で使用される。例えば、モード選択キー４５は、ファクシミリ、コピー、プリンタ、スキャナのモードを切り替える際に操作する。
【００２５】
複合機１で実行される印刷ジョブについて、図１のパソコン３５Ａに記憶されているファイルを例にして説明する。ユーザは、印刷したいファイルをパソコン３５Ａの画面上に開いて印刷を選択する。これにより、パソコン３５Ａにインストールされているプリンタドライバが立ち上がり、パソコン３５Ａに印刷画面が表示される。印刷画面上で印刷設定をした後、印刷ＯＫのボタンをクリックすることにより、選択したファイルがＰＤＬ(Page Description Language)で記述された印刷データ（以下、ＰＤＬデータと称する）に変換される。このＰＤＬデータからなる印刷ジョブがＬＡＮ３１を経由して複合機１に送られる。
【００２６】
複合機１に送られた印刷ジョブ（ＰＤＬデータ）は、解析されて画像データとしてページ毎に画像メモリ２３に蓄積する処理がされる。この蓄積された画像データは圧縮された状態にある。図３は、この処理を説明するフローチャートである。図４〜図８は上記処理でのＰＤＬデータ６１と画像メモリ２３の関係を示す図である。上記選択したファイルのページ数をｋとする。画像メモリ２３は、印刷ジョブの実行において、複数ページ分の画像データの蓄積が可能にされている。
【００２７】
図４は、複合機１で印刷ジョブが受け付けられたときのＰＤＬデータ６１と画像メモリ２３の関係を示している。画像メモリ２３には、画像データが未だ蓄積されていない。第１ページの画像データのデータ量を演算する（ステップＳ１）。
【００２８】
画像メモリ２３のメモリ残量とステップＳ１で演算したデータ量の差分が所定の閾値より大きいか判断する（ステップＳ３）。差分が所定の閾値より大きければ（ステップＳ３でＹｅｓ）、画像メモリ２３には第１ページの画像データが蓄積できる容量が残っていると見なして、第１ページの画像データを画像メモリ２３に蓄積する（ステップＳ５、図５）。この蓄積された画像データを伸長して図示しない展開用メモリに展開し、電子写真方式により第１ページを用紙に記録して排紙する印刷ジョブが実行される。
【００２９】
第１ページの排紙後も、第１ページの画像データを画像メモリ２３から消去せずに記憶する。このように本実施形態では、画像データを蓄積しておき、再印刷の際に利用できるようにしている。
【００３０】
第１ページが最後のページか判断する（ステップＳ７、ステップＳ９）。最後のページであれば（ステップＳ９でＹｅｓ）、ＰＤＬデータ６１をページ毎に画像データとして画像メモリ２３に蓄積する処理が終了する。一方、最後のページではなく、第２ページがあれば（ステップＳ９でＮｏ）、ステップＳ１へ戻り、第１ページと同様にして第２ページの処理がされる。
【００３１】
本実施形態では、図６に示すように第７ページにおいて、画像メモリ２３のメモリ残量とステップＳ１で演算したデータ量の差分が所定の閾値より大きくないと判断されたとする（ステップＳ３がＮｏ）。第７ページの画像データを画像メモリ２３に蓄積するために、画像メモリ２３に蓄積されていた第１〜第６ページの画像データを消去する（ステップＳ１１、図７）。なお、第１〜第６ページは、すでに用紙に記録されて排紙されている。
【００３２】
そして、第７ページの画像データを画像メモリ２３に蓄積する（ステップＳ５、図８）。第７ページについても上述した第１ページと同様の処理がされる。
【００３３】
複合機１から排紙された用紙を見て、意図した印刷設定でないことが分かり、再印刷をしなければならないことがある。本実施形態では、複合機１の操作パネル４１を操作することで、パソコン３５からの印刷ジョブについて再印刷をできるようにしている。
【００３４】
図９は、本実施形態に係る複合機１での再印刷を説明するフローチャートである。図１０〜図１５は、操作パネル４１の平面図であり、再印刷においてタッチパネル４３に表示される操作画面５７の切り替わりを示している。
【００３５】
図１の複合機１は、パソコン３５から送られた印刷ジョブを受け付けて、印刷ジョブを実行する（ステップＳ２１）。排紙が開始、すなわちファイルの第１ページが用紙に記録されて排紙されたか判断される（ステップＳ２３）。排紙が未だ始まっていなければ（ステップＳ２３でＮｏ）、ステップＳ２３の処理が繰り返される。
【００３６】
排紙が開始されることにより（ステップＳ２３でＹｅｓ）、図１０に示すように、タッチパネル４３には、再印刷キー７１を含む操作画面５７が表示される（ステップＳ２５）。印刷ジョブは継続されており、第２ページ、第３ページ、・・・が用紙に記録されて排紙される。
【００３７】
その印刷ジョブについて最初のページを含む複数のページ分の画像データがすでに画像メモリ２３から消去されているか判断される（ステップＳ２７）。図３で説明したように、本実施形態では、画像データを最初のページから順に画像メモリ２３に蓄積していく制御をしている。
【００３８】
例えば図７に示すように、第７ページの画像データを画像メモリ２３に蓄積するために、第１〜第６ページの画像データは画像メモリ２３から消去されている。画像メモリ２３が図７に示す状態であれば、ステップＳ２７がＹｅｓとなる。これに対して、画像メモリ２３が例えば図５や図６に示す状態であれば、ステップＳ２７がＮｏとなる。
【００３９】
ステップＳ２７がＮｏの場合から説明する。排紙された用紙をユーザが見て、意図しない印刷設定であることが分かり、再印刷をするときは、再印刷キー７１を操作する（ステップＳ２９でＹｅｓ）。これにより、複合機１は印刷ジョブを中断し（印刷を途中で止め）、かつ図１１に示すように、タッチパネル４３には印刷設定の操作画面５７が表示される（ステップＳ３１）。なお、再印刷キー７１を操作しなければ（ステップＳ２９でＮｏ）、ステップＳ２７に戻る。
【００４０】
印刷設定の項目は印刷パラメータとも称され、図１１に示すように、パソコン３５でプリンタドライバを立ち上げることによりパソコン３５に表示される印刷画面上の印刷設定の項目と同様の内容である。図１１では、給紙方法、印刷方法、N in 1、印刷範囲の項目がタブ７３で示されている。印刷設定の操作画面５７には、印刷項目のタブ７３の他にボタン７５が含まれる。再印刷キー７１を操作したが、印刷設定を変更する必要がないと考えれば、ボタン７５を操作する。これにより、ステップＳ３１で中断された印刷ジョブが再開されて、残りのページが用紙に記録されて排紙される。
【００４１】
本実施形態では、給紙方法として、自動給紙、カセット１、カセット２、手差しの中から選択できる。印刷方法として、片面印刷、両面印刷の中から選択できる。N in 1とは一枚の用紙に記録するページ数であり、本実施形態では、1 in 1、2 in 1、4 in 1の中から選択できる。印刷範囲として、全ページ、指定したページの中から選択できる。
【００４２】
例えば、ユーザは手差しで印刷をしたかったが、自動給紙で印刷されたとする。この場合は、「給紙方法」のタブ７３を操作することにより、図１２に示すように、タッチパネル４３には、給紙方法を設定する操作画面５７が表示される。この操作画面５７は、自動給紙が選択されていることを示している。「手差し」のボタン７７を操作することにより、図１３に示すように、「手差し」が選択される。「閉じる」のボタン７９を操作すれば、図１４に示すように印刷設定の操作画面５７に切り替わる。給紙方法として手差しが選択されていることが示されている。
【００４３】
スタートキー４９が操作されれば（ステップＳ３３でＹｅｓ）、複合機１は印刷ジョブの実行をしなおす（ステップＳ３５）。これにより、その印刷ジョブについて再印刷（印刷のしなおし）がされる。再印刷においても、ステップＳ２３以降の処理がされるので、意図した印刷設定でないことが分かれば、再印刷をすることができる。
【００４４】
例えば、図６に示す状態で再印刷をするときは、第１〜第６ページは画像メモリ２３に蓄積された画像データを利用し、残りのページはＰＤＬデータ６１を利用する。本実施形態では、画像データを最初のページから順に画像メモリ２３に蓄積していく制御をするので、最初のページを含む複数ページ分の画像データを再印刷に利用することができる。なお、本実施形態において、ＰＤＬデータ６１をコピーしておいて、これを再印刷に利用してもよい。このようにすれば、画像メモリ２３で画像データを蓄積する制御が不要となる。
【００４５】
再印刷をしないときは（ステップＳ３３でＮｏ）、「再印刷しない」のボタン７５を操作する（ステップＳ３７）。これにより、ステップＳ３１で中断した印刷ジョブが再開されて（ステップＳ３９）、ステップＳ２５へ戻る。
【００４６】
ステップＳ２７がＹｅｓの場合、その印刷ジョブについて最初のページを含む複数のページの画像データがすでに画像メモリ２３から消去されている（例えば、図７）。したがって、最初のページを含む複数ページ分については、ＰＤＬデータ６１、画像データのいずれも失われているので、その印刷ジョブについては再印刷に必要なデータが複合機１に揃わず、再印刷することができない。
【００４７】
よって、その印刷ジョブに対する再印刷の操作の受け付けを禁止する（ステップＳ４１）。図１５に示すように、タッチパネル４３には再印刷キー７１が消された操作画面５７が表示され（ステップＳ４３）、印刷ジョブが継続される（ステップＳ４５）。印刷ジョブが終了すれば（ステップＳ４７でＹｅｓ）、図９に示す一連の処理が終わり、印刷ジョブが終了しなければ、ステップＳ４５に戻る。
【００４８】
以上のように、本実施形態によれば、パソコン３５から送られた印刷ジョブが実行されて排紙された用紙を見て、意図しない印刷設定であることが分かれば、複合機１の操作パネル４１を操作することにより、その印刷ジョブについて再印刷をすることができる。したがって、意図しない印刷設定で印刷ジョブが実行されても、その印刷ジョブを送ったパソコン３５のところまで戻り、パソコン３５を操作して再印刷をする必要がない。よって、本実施形態は、意図しない印刷設定が原因で再印刷をする場合に便利である。
【００４９】
また、印刷ジョブが実行されて排紙が開始されることにより、再印刷キー７１を表示し（ステップＳ２３，Ｓ２５）、かつその印刷ジョブに対する再印刷の操作の受け付けが禁止されることにより、再印刷キー７１の表示を消している（ステップＳ４１，Ｓ４３）。したがって、本実施形態によれば、その印刷ジョブについて再印刷が可能な期間中に再印刷ができることをユーザに報知することができる。なお、再印刷キー７１を表示せずに、再印刷が可能なことを音声で報知する態様でもよい。この態様では、音声ガイダンスにしたがって、印刷設定の操作画面５７を呼び出すようにする。
【００５０】
ところで、印刷するページ数が少なければ、再印刷キー７１を操作する前に印刷ジョブが終了してしまうことがある。印刷ジョブ終了後、所定時間（例えば２〜３分）が経過するまで、印刷ジョブが終了した件について画像メモリ２３に全ページの画像データを蓄積しておき、再印刷できるようにしてもよい。図１６は、印刷ジョブ終了後の再印刷について説明するフローチャートである。
【００５１】
印刷するページ数が少ない場合、その印刷ジョブの全ページの画像データが画像メモリ２３に蓄積された状態で印刷ジョブが終了する。例えば、印刷ジョブのページ数が４であれば、図１７に示すように、第１〜第４ページの画像データが画像メモリ２３に蓄積された状態で印刷ジョブが終了する。
【００５２】
印刷ジョブ終了後もその印刷ジョブの全ページの画像データを画像メモリ２３に蓄積し（ステップＳ６１）、図１８に示すようにタッチパネル４３には再印刷キー７１を含む操作画面５７が表示される（ステップＳ６３）。
【００５３】
印刷ジョブ終了後に再印刷可能な時間として、予め設定された所定時間が経過したか判断される（ステップＳ６５）。所定時間が経過していなければ（ステップＳ６５でＮｏ）、再印刷キー７１が操作されたか判断される（ステップＳ６７）。再印刷キー７１を操作しなければ（ステップＳ６７でＮｏ）、ステップＳ６５へ戻る。
【００５４】
排紙された用紙を見て、意図しない印刷設定であることが分かり、再印刷キー７１を操作すれば（ステップＳ６７でＹｅｓ）。ステップＳ３１で説明した図１１に示す印刷設定の操作画面５７がタッチパネル４３に表示される（ステップＳ６９）。
【００５５】
ステップＳ３３と同様に、印刷設定してからスタートキー４９を操作することにより（ステップＳ７１でＹｅｓ）、印刷ジョブを実行しなおす（ステップＳ３５）。これにより、印刷ジョブが終了したものについて再印刷をすることができる。「再印刷しない」のボタン７５を操作すれば（ステップＳ７１でＮｏ）、ステップＳ６３へ戻る。
【００５６】
一方、印刷ジョブが終了してから所定時間が経過した場合（ステップＳ６５でＹｅｓ）、印刷ジョブが終了したものについて再印刷の操作の受け付けを禁止する（ステップＳ７３）。そして、図１９に示すように、再印刷キー７１を消した操作画面５７をタッチパネル４３に表示する（ステップＳ７５）。
【００５７】
以上説明したように、印刷ジョブが終了してから所定時間が経過するまで、印刷ジョブに対する再印刷の操作を受け付けるようにすることで、印刷ジョブ終了後でも再印刷を可能にしている。したがって、印刷するページ数が少ない印刷ジョブについて有効となる。
【００５８】
本実施形態において、図９のステップＳ２１、ステップＳ３５等は印刷ジョブ実行部で処理される。印刷ジョブ実行部は、図１に示すＭＰＵ３、画像記録部７、ＲＯＭ１９、ＲＡＭ２１、画像メモリ２３等により構成される。
【００５９】
図９のステップＳ３３、図１６のステップＳ７１等は再印刷操作部で処理される。再印刷操作部は、印刷ジョブ実行部で印刷ジョブが実行されて排紙が開始されることにより操作可能となり、印刷設定の操作及び印刷設定に基づいて印刷ジョブ実行部に対して印刷ジョブの実行のしなおしを命令する操作に用いられる。再印刷操作部は、ＭＰＵ３、ＲＯＭ１９、ＲＡＭ２１、操作パネル４１等により構成される。
【００６０】
図３に示す各ステップ、図９のステップＳ４１、図１６のステップＳ７３等は制御部で処理される。制御部は、画像データを最初のページから順に画像メモリ２３に蓄積していく制御をする。制御部は、また、画像メモリ２３に蓄積された最初のページを含む複数ページ分の画像データが消去されれば印刷ジョブに対する再印刷操作部の操作の受け付けを禁止する制御をする。制御部は、図１に示すＭＰＵ３、ＲＯＭ１９、ＲＡＭ２１等により構成される。
【００６１】
図９のステップＳ２５、ステップＳ４３、図１６のステップＳ６３、ステップＳ７５等は報知部で処理される。報知部は、ＭＰＵ３、ＲＯＭ１９、ＲＡＭ２１、タッチパネル４３等により構成される。
【００６２】
本実施形態は、プリンタ装置として複合機１を例に説明したが、プリンタ専用機でもよい。
【図面の簡単な説明】
【００６３】
【図１】本実施形態に係るプリンタ装置としての機能を有する複合機１の構成を示すブロック図である。
【図２】複合機１に備えられる操作パネル４１の平面図である。
【図３】複合機１においてＰＤＬデータを画像データとして蓄積する処理を説明するフローチャートである。
【図４】図３の処理でのＰＤＬデータ６１と画像メモリ２３の関係（第１の関係）を示す図である。
【図５】同第２の関係を示す図である。
【図６】同第３の関係を示す図である。
【図７】同第４の関係を示す図である。
【図８】同第５の関係を示す図である。
【図９】複合機１での再印刷を説明するフローチャートである。
【図１０】複合機１での再印刷において、操作画面５７の第１例がタッチパネル４３に表示されている操作パネル４１の平面図である。
【図１１】同第２例がタッチパネル４３に表示されている操作パネル４１の平面図である。
【図１２】同第３例がタッチパネル４３に表示されている操作パネル４１の平面図である。
【図１３】同第４例がタッチパネル４３に表示されている操作パネル４１の平面図である。
【図１４】同第５例がタッチパネル４３に表示されている操作パネル４１の平面図である。
【図１５】同第６例がタッチパネル４３に表示されている操作パネル４１の平面図である。
【図１６】複合機１において、印刷ジョブ終了後にその印刷ジョブについて再印刷をする態様のフローチャートである。
【図１７】図１６で説明する態様での画像メモリ２３の状態の一例を示す図である。
【図１８】図１６で説明する態様において、操作画面５７の第１例がタッチパネル４３に表示されている操作パネル４１の平面図である。
【図１９】同第２例がタッチパネル４３に表示されている操作パネル４１の平面図である。
【符号の説明】
【００６４】
１・・・複合機、３・・・ＭＰＵ、５・・・画像読取部、７・・・画像記録部、９・・・表示部、１１・・・操作部、１３・・・モデム、１５・・・ＮＣＵ、１７・・・公衆交換電話網、１９・・・ＲＯＭ、２１・・・ＲＡＭ、２３・・・画像メモリ、２５・・・ハードディスク、２７・・・コーデック、２９・・・ＬＡＮインターフェース、３１・・・ＬＡＮ、３３・・・バス、３５(３５Ａ)・・・パソコン、３７・・・ルータ、３９・・・インターネット、４１・・・操作パネル、４３・・・タッチパネル、４５・・・モード選択キー、４７・・・テンキー、４９・・・スタートキー、５１・・・クリアキー、５３・・・割込みキー、５５・・・リセットキー、５７・・・操作画面、６１・・・ＰＤＬデータ、７１・・・再印刷キー、７３・・・タブ、７５，７７，７９・・・ボタン
【図１】
2009255328.tif 000003
【図２】
2009255328.tif 000004
【図３】
2009255328.tif 000005
【図４】
2009255328.tif 000006
【図５】
2009255328.tif 000007
【図６】
2009255328.tif 000008
【図７】
2009255328.tif 000009
【図８】
2009255328.tif 000010
【図９】
2009255328.tif 000011
【図１０】
2009255328.tif 000012
【図１１】
2009255328.tif 000013
【図１２】
2009255328.tif 000014
【図１３】
2009255328.tif 000015
【図１４】
2009255328.tif 000016
【図１５】
2009255328.tif 000017
【図１６】
2009255328.tif 000018
【図１７】
2009255328.tif 000019
【図１８】
2009255328.tif 000020
【図１９】
2009255328.tif 000021